(57)【特許請求の範囲】
【請求項１】
基本形状を複数個集合させた左右対象な単純な形状で、かつ一部の前記基本形状の中央に駒の組み込みを制限する、制限体を付けた複数の中板と、
前記基本形状を複数個集合させ、一部の基本形状の中央に穴を開け、複数の異なる形状で、かつ前記中板の上に組み込むようにした駒と、
前記基本形状を多数個集合させた形状で、かつ集合させた前記基本形状の外周に盤壁を設けた駒組み込み盤、
で構成した中板付き駒組み込みパズル
【発明の詳細な説明】
【０００１】
【発明の属する技術分野】
本発明は玩具の一種で、駒を組み込むパズルに属する。
【０００２】
【従来の技術】
従来の技術は特許第２５７２９８９号が有る。
この技術では、駒を組み込む制限である突出体を、駒組み込み盤に設けている。従ってこの技術の欠点は、駒を組み込む制限である突出体の位置を変化させることができないので、駒を組み込む制限の変化が少なく、面白みが少ないという欠点が有る。
【０００３】
【発明が解決使用とする課題】
本発明の目的は、駒を組み込む制限の位置や、数を遊戯者が、自由に変えれるようにして、面白みを増した駒組み込みパズルを提供することにある。
【０００４】
【課題解決するための手段】
基本形状を複数個集合させた形状で、かつ一部の前記基本形状の中央に穴を開けた複数の駒と、基本形状を多数個集合させた形状で、かつ集合させた基本形状の外周に盤壁を設けた駒組み込み盤と、基本形状を複数個集合させた形状で、かつ一部の前記基本形状の中央に前記駒の組み込みを制限する、制限体を付けた複数の中板と、で構成する中板付き駒組み込みパズルである。
【０００５】
【構成】
図１に従って第１の実施例を説明する。
図１は本発明の第１の実施例の、組み込む状態を説明する斜視図である。
図１は、基本形状が正方形の事例で、制限体が突出ピン６の例である。
駒組み込み盤１の中板組み込み部２は、基本形状である正方形が、縦に４個、横に６個、計２４個組み合わせた形状をしており、幾つかの基本形状である正方形の中央には、円形の盤穴３が設けてある。中板組み込み部２の外周には盤壁９が設けてあり、中板Ａ４や中板Ｂ５を中板組み込み部２に組み込んだ場合に、中板Ａ４や中板Ｂ５がずれないようにしてある。
【０００６】
中板Ａ４は基本形状である正方形を田の字状に４個組み合わせた形状をしており、それを４枚設けてある。中板Ｂ５は基本形状である正方形を直線状に組み合わせた形状をしており、それを２枚設けてある。幾つかの基本形状である正方形の中央には、円柱状の突出ピン６が設けてある。中板Ａ４や中板Ｂ５を裏返して、中板組み込み部２に組み込んだ場合に、突出ピン６は、盤穴３に入るように構成してある。
【０００７】
駒Ａ１１は基本形状である正方形を３個組み合わせた形をしている。
駒Ｂ１２は基本形状である正方形を３個組み合わせた形をしている。
駒Ｃ１３は基本形状である正方形を２個組み合わせた形をしている。
駒Ｄ１４は基本形状である正方形を２個と、基本形状である正方形の半分の形状である直角三角形を１個を組み合わせた形をしている。
駒Ｅ１５は基本形状である正方形を３個組み合わせた形をしている。
駒Ｆ１６は基本形状である正方形を３個組み合わせた形をしている。
駒Ｇ１７は基本形状である正方形を３個組み合わせた形をしている。
駒Ｈ１８は基本形状である正方形を３個組み合わせた形をしている。
駒Ｉ１９は基本形状である正方形を１個と、基本形状である正方形の半分の形状である直角三角形を１個を組み合わせた形をしている。
幾つかの基本形状である正方形の中央には、駒穴７が設けてある。
【作用】
【０００８】
本発明を遊ぶには、その準備として、幾つかの突出ピン６が上方に向くように、中板Ａ４や中板Ｂ５を、中板組み込み部２に組み込む。そして、遊び方は各々の駒Ａ１１から駒Ｉ１９までの駒穴７が突出ピン６に入るように駒組み込み盤１に組み込む。
このように使用するときの本発明の作用は、中板Ａ４や中板Ｂ５を中板組み込み部２に組み込む場合に、中板Ａ４や中板Ｂ５はそれぞれ左右対象の形状をしているので、中板Ａ４や中板Ｂ５をそれぞれ回転さてせて組み込むことができる。また中板Ｂ５は同じ形状で２枚設けてあるので、たがいの中板Ｂの位置を組み替えることができる。さらにまた、中板Ａ４や中板Ｂ５はそれぞれ単純な形状をしているのでお互いに位置を変えて組み込むことが容易にできる。
このように、本発明は、中板Ａ４や中板Ｂ５を簡単に位置を変えることができる。このことはすなわち、突出ピン６の位置を自由に変えることができる。
また、中板Ａ４や中板Ｂ５を裏返すことにより、上向きの突出ピン６の数を自由に変えることが出来る。
【効果】
【０００８】
このように、上向きの突出ピン６の位置や数を自由に変えれるので、駒Ａ１１から駒Ｉ１９を組み込む場合に、突出ピン６が駒穴７に入るように組み込まなければならないので、突出ピン６の位置を変えると、駒Ａ１１から駒Ｉ１９を組み込む制約条件が変わる。
即ち、突出ピン６の位置を簡単に変えれるので、新しい問題を簡単に作ることが出来る効果がある。
【０００９】
他の効果として、中板Ａ４と中板Ｂ５の形状を組み合わせているので、中板Ａ４の組み合わせだけや、中板Ｂ５の組み合わせだけに比べ、駒を組み込む事の出来ない問題が少なくなるという効果が生じる。
その理由は、中板Ａ４の上には駒Ａ１１や、駒Ｇ１７を組み込みやすく、中板Ｂ５の上には、駒Ｅ１１や、駒Ｈ１８が組み込みやすいからである。
【００１０】
さらに他の効果として、中板Ａ４と中板Ｂ５の形状を組み合わせているので、中板Ａ４の組み合わせだけや、中板Ｂ５の組み合わせだけに比べ、突出ピン６の位置の組み合わせの変化が多いという効果がある。
【００１１】
第２の実施例を図２、図３に従って説明する。
第２の実施例は基本形状が、正方形の例でかつ立体にした例であり、制限体が突出ピン６の例である。
第１の実施例と同じ名称の物には同じ数字を付けてある。
駒組み込み盤１の中板組み込み部２は、基本形状である正方形が、縦に４個、横に４個、計１６個組み合わせた形状をしており、幾つかの基本形状である正方形の中央には、円形の盤穴３が設けてある。中板組み込み部２の外周には盤壁９が設けてあり、中板Ａ４を中板組み込み部２に組み込んだ場合に、中板Ａ４がずれないようにしてある。
中板Ａ４は基本形状である正方形を田の字状に４個組み合わせた形状をしており、それを２枚設けてある。また幾つかの基本形状である正方形の中央には、円柱状の突出ピン６が設けてある。中板Ｂ５は基本形状である正方形を直線状に組み合わせた形状をしており、それを２枚設けてある。
駒Ｊ２１から、駒Ｓ３０は基本形状の正方形の立体形状の、正立方体が２個から４個集合させた形状をしている。幾つかの正立方体の正方形の面の中央に、駒穴７が設けたある。
また、図３に図示した駒Ｓ３０は断面図を示してある。この駒Ｓ３０は正立方体を２個重ねた形状をしており、一方の正立方体には駒穴７が、もう一方の正立方体には突出ピン６が設けてある。
【００１２】
第２の実施例はこのように構成してあるので、第１の実施例と同様に、中板Ａ４の突出ピン６の位置を自由に変えることにより、新しい問題を簡単に作りだすことが出来る。
さらに他の効果として、駒Ｓ３０には駒穴７と突出ピン６の両方とも設けてあるので、駒を組み込む制限が複雑になり、面白みを増す効果が生じる。
【００１３】
第３の実施例を図４に従って説明する。
第３の実施例は基本形状が、正六角形の例であり、制限体が中板数字３８の例である。
基本形状である正六角形を３個から４個組み合わせた形状の中板３１を、駒組み込み盤１の中に組み込んである。駒組み込み盤１の外周には盤壁９が設けてある。中板３１の正六角形の中央には制限体である中板数字３８か書いてある。
駒３２は正六角形が２個から４個集合した形の板状の形状である。幾つかの正六角形の中央には駒穴７が設けてある。また、駒穴７には側に駒数字３５が付けてある。
【００１４】
第３の実施例では、駒３２を組み込む場合には、駒穴７から中板数字３０が見えるように組み込むという制限をつける。そうすると第３の実施例も第１、第２の実施例と同様に、中板３１を組み替えることにより、新しい問題を容易に作りだすことが出来るという効果がある。
【００１５】
他の効果として、中板３１に付けた中板数字３０と駒３２に付けた駒数字３５の積を全て合計して、その総合計の数が大きいほど良いとすると、駒３２の位置が限られて難しくなり、さらに面白くなる。
【００１６】
第４の実施例を図５に従って説明する。
第４の実施例は基本形状が、正三角形の例であり、制限体が突出ピン６の例である。
中板４１は正三角形を６個集合させて、正六角形の形状をしている。幾つかの正三角形の中央には制限体である突出ピン６が設けてある。
駒３６は正三角形が２個から４個集合させた形状であり、幾つかの正三角形の中央には駒穴７が設けてある。
【００１７】
第４の実施例も、第１、第２、第３の実施例と同様に、中板３１を組み替えることにより、新しい問題を容易に作りだすことが出来るという効果がある。
【００１８】
図６は駒の他の実施例の説明図である。基本形状は正方形の例である。正方形を４個集合させ、かつ２段に構成してある。このような立体の駒でもよい。
【図面の簡単な説明】
【図１】  第１の実施例の斜視図。
【図２】  第２の実施例の斜視図。
【図３】  第２の実施例の駒の斜視図。
【図４】  第３の実施例の説明図。
【図５】  第４の実施例の説明図。
【図６】  駒の他の実施例の説明図。
【記号の説明図】
１・・・駒組み込み盤              ２・・・中板組み込み部
３・・・盤穴                      ４・・・中板Ａ
５・・・中板ＡＢ                  ６・・・突出ピン
７・・・駒穴                      ９・・・盤壁
１１・・・駒Ａ
【図１】
0003931259.tif 000002
【図２】
0003931259.tif 000003
【図３】
0003931259.tif 000004
【図４】
0003931259.tif 000005
【図５】
0003931259.tif 000006
【図６】
0003931259.tif 000007